(57)【特許請求の範囲】
【請求項１】
前後方向へ延びる頂底壁および両側壁と、それら壁に囲繞されて前記前後方向へ貫通し、光ファイバ接続用コネクタを着脱可能に挿入する挿入孔と、前記両側壁の外側に張り出したフランジ部と、前記挿入孔の中央部に設置されて前記コネクタのフェルールを支持する光接続用スリーブと、着脱可能に設置されるストッパー部材とを有する光通信用アダプタにおいて、
前記底壁の外面には、該底壁の外面から内面に向かって凹む底壁凹部が形成され、前記両側壁の外面には、該両側壁の外面から内面に向かって凹む側壁第１凹部と、前記側壁第１凹部よりも前記挿入孔入り口側に位置し、該両側壁の外面から内面に向かって凹むとともに前記側壁第１凹部よりも凹み深さが浅い側壁第２凹部とが形成され、前記ストッパー部材が、底板と、前記底板の両側縁から上方へ延びていて前記側壁第１凹部と略同形同大の平面形状を有する両側板と、前記両側板に形成された弾性変形可能な係止板とを備え、
前記光通信用アダプタでは、前記側壁第１凹部につながって前後方向へ延びる切り欠き部が前記フランジ部に形成されて該側壁第１凹部が該フランジ部の内側まで連続し、前記ストッパー部材の底板が前記底壁凹部に嵌合し、前記フランジ部につながる切り欠き部に前記ストッパー部材の両側板が入り込んだ状態で該両側板が前記側壁第１凹部に嵌合していることを特徴とする光通信用アダプタ。
【請求項２】
前後方向へ延びる頂底壁および両側壁と、両側壁の間に位置する少なくとも１つの仕切り壁と、それら壁に囲繞されて前記前後方向へ貫通し、仕切り壁を挟んで横方向に並ぶ少なくとも２つの挿入孔と、前記両側壁の外側に張り出したフランジ部と、前記挿入孔の中央部に設置されて前記コネクタのフェルールを支持する少なくとも２つの光接続用スリーブと、着脱可能に設置されるストッパー部材とを有する光通信用アダプタにおいて、
前記底壁の外面には、該底壁の外面から内面に向かって凹む底壁凹部が形成され、前記両側壁の外面には、該両側壁の外面から内面に向かって凹む側壁第１凹部と、前記側壁第１凹部よりも前記挿入孔入り口側に位置し、該両側壁の外面から内面に向かって凹むとともに前記側壁第１凹部よりも凹み深さが浅い側壁第２凹部とが形成され、前記ストッパー部材が、底板と、前記底板の両側縁から上方へ延びていて前記側壁第１凹部と略同形同大の平面形状を有する両側板と、前記両側板に形成された弾性変形可能な係止板とを備え、
前記光通信用アダプタでは、前記側壁第１凹部につながって前後方向へ延びる切り欠き部が前記フランジ部に形成されて該側壁第１凹部が前記フランジ部の内側まで連続し、前記ストッパー部材の底板が前記底壁凹部に嵌合し、前記フランジ部につながる切り欠き部に前記ストッパー部材の両側板が入り込んだ状態で該両側板が前記側壁第１凹部に嵌合していることを特徴とする光通信用アダプタ。
【請求項３】
前記アダプタに前記ストッパー部材を取り付ける手順が、前記アダプタの側壁第２凹部を前記ストッパー部材の両側板で挟み込んだ後、前記ストッパー部材の両側板を前記側壁第１凹部に沿って前記フランジに形成された切り欠き部まで移動させることで該ストッパー部材を前記アダプタの底壁凹部と側壁第１凹部とに嵌合させる請求項１または請求項２に記載の光通信用アダプタ。
【発明の詳細な説明】
【技術分野】
【０００１】
本発明は、光ファイバ接続用コネクタどうしまたは光ファイバ接続用コネクタと半導体レーザ等の光発信装置とを接続する光通信用アダプタに関し、特に光通信用アダプタをパネル等へ固定する為のストッパー部材（ストッパー金具）の光通信用アダプタへの取り付け構造に関する。
【背景技術】
【０００２】
従来より、ＳＣ型に代表される幾つかの光通信用アダプタには、その外周面に光通信用アダプタ取り付けパネルと係合する金属製の係止ばねであるストッパー部材が設けられている。
【０００３】
例えば、ＳＣ型光通信用アダプタ取り付けパネルの厚さはJIS C 5973において、１．６ｍｍと規定されており、一般的なストッパー部材は１．６ｍｍ用を前提に設計されている。その為、パネルの厚さが薄い場合、ストッパー部材を新たに作製する必要があった。
【先行技術文献】
【特許文献】
【０００４】
【特許文献１】特開２００４−４５６２２号公報
【発明の概要】
【発明が解決しようとする課題】
【０００５】
近年、光通信用アダプタを取り付けて使用する装置等の軽量化に伴い、取り付けパネルの薄板品が採用され始めている。
【０００６】
一般的に、ストッパー部材は弾性を有する薄板状部材を金型によりプレス成形で加工しており、形状の異なるストッパー部材を作製するには、多大な費用が発生する問題があった。
【０００７】
また、前記特許文献１に開示の光通信用アダプタは、弾性係合板部を設けることで１ｍｍまでの厚みのあるパネルへアダプタを取り付けることが可能であるが、１ｍｍ以下のパネルへの取り付けが困難である。更に、フランジ部も幅が狭い光通信用アダプタの場合は、アダプタ取り付け穴の位置間隔が狭くなる為、弾性係合板部の幅を広くできなくなり、十分なバネ性が得られなくなる可能性がある。
【０００８】
本発明は、光通信用アダプタの取り付けパネルが薄くなった場合やフランジ部の幅が狭くなった場合に、ストッパー部材の形状を変えることなく、容易に取り付け可能なパネル厚を変更できる光通信用アダプタを提供することを課題とする。
【課題を解決するための手段】
【０００９】
前記課題を解決するための本発明の第１の前提は、前後方向へ延びる頂底壁および両側壁と、それら壁に囲繞されて前記前後方向へ貫通し、光ファイバ接続用コネクタを着脱可能に挿入する挿入孔と、両側壁の外側に張り出したフランジ部と、挿入孔の中央部に設置されてコネクタのフェルールを支持する光接続用スリーブと、着脱可能に設置されるストッパー部材とを有する光通信用アダプタである。
【００１０】
前記第１の前提における本発明の光通信用アダプタの特徴は、底壁の外面から内面に向かって凹む底壁凹部が底壁の外面に形成され、両側壁の外面から内面に向かって凹む側壁第１凹部と、側壁第１凹部よりも挿入孔入り口側に位置し、両側壁の外面から内面に向かって凹むとともに側壁第１凹部よりも凹み深さが浅い側壁第２凹部とが両側壁の外面に形成され、ストッパー部材が、底板と、底板の両側縁から上方へ延びていて側壁第１凹部と略同形同大の平面形状を有する両側板と、両側板に形成された弾性変形可能な係止板とを備え、光通信用アダプタでは、側壁第１凹部につながって前後方向へ延びる切り欠き部がフランジ部に形成されて側壁第１凹部がフランジ部の内側まで連続し、ストッパー部材の底板が底壁凹部に嵌合し、フランジ部につながる切り欠き部にストッパー部材の両側板が入り込んだ状態で両側板が側壁第１凹部に嵌合していることにある。
【００１１】
前記課題を解決するための本発明の第２の前提は、前後方向へ延びる頂底壁および両側壁と、両側壁の間に位置する少なくとも１つの仕切り壁と、それら壁に囲繞されて前後方向へ貫通し、仕切り壁を挟んで横方向に並ぶ少なくとも２つの挿入孔と、両側壁の外側に張り出したフランジ部と、挿入孔の中央部に設置されてコネクタのフェルールを支持する光接続用スリーブと、着脱可能に設置されるストッパー部材とを有する光通信用アダプタである。
【００１２】
前記第２の前提における本発明の光通信用アダプタの特徴は、底壁の外面から内面に向かって凹む底壁凹部が底壁の外面に形成され、両側壁の外面から内面に向かって凹む側壁第１凹部と、側壁第１凹部よりも挿入孔入り口側に位置し、両側壁の外面から内面に向かって凹むとともに側壁第１凹部よりも凹み深さが浅い側壁第２凹部とが両側壁の外面に形成され、ストッパー部材が、底板と、底板の両側縁から上方へ延びていて側壁第１凹部と略同形同大の平面形状を有する両側板と、両側板に形成された弾性変形可能な係止板とを備え、光通信用アダプタでは、側壁第１凹部につながって前後方向へ延びる切り欠き部がフランジ部に形成されて側壁第１凹部がフランジ部の内側まで連続し、ストッパー部材の底板が底壁凹部に嵌合し、フランジ部につながる切り欠き部にストッパー部材の両側板が入り込んだ状態で両側板が側壁第１凹部に嵌合していることにある。
【００１３】
本発明にかかる光通信用アダプタの一例としては、アダプタにストッパー部材を取り付ける手順が、アダプタの側壁第２凹部をストッパー部材の両側板で挟み込んだ後、ストッパー部材の両側板を側壁第１凹部に沿ってフランジに形成された切り欠き部まで移動させることでストッパー部材をアダプタの底壁凹部と側壁第１凹部とに嵌合させる。
【発明の効果】
【００１４】
請求項１に記載の光通信用アダプタによれば、底壁に底壁凹部が形成され、両側壁に側壁第１凹部および側壁第２凹部が形成され、ストッパー部材の底板が底壁凹部に嵌合するとともに、ストッパー部材の両側板がフランジ部の切り欠き部まで連続した側壁第１凹部に嵌合するから、光通信用アダプタを規格より薄いパネルにも容易に固定することができる。アダプタは、ストッパー部材の底板を底壁に形成された底壁凹部に嵌合させ、ストッパー部材の両側板を両側壁に形成された側壁第１凹部に嵌合させることで、ストッパー部材をアダプタに簡単に取り付けることができるから、ストッパー部材のアダプタに対する取り付けが容易であり、組み立てに手間や時間がかからず、その結果、アダプタ自体を低い単価で作ることができる。
【００１５】
請求項２に記載の光通信用アダプタによれば、両側壁の間に位置する少なくとも１つの仕切壁を含むとともに、仕切板を挟んで横方向へ並ぶ少なくとも２つの挿入孔を備え、少なくとも２つの光ファイバ接続用コネクタを横方向へ並べた状態でそれらコネクタを挿入孔に挿入し、それらコネクタを介してレーザ光を接続させることができ、一度に複数の線路による光接続を行うことができる。アダプタは、底壁に底壁凹部が形成され、両側壁に側壁第１凹部および側壁第２凹部が形成され、ストッパー部材の底板が底壁凹部に嵌合するとともに、ストッパー部材の両側板がフランジ部の切り欠き部まで連続した側壁第１凹部に嵌合するから、光通信用アダプタを規格より薄いパネルにも容易に固定することができる。アダプタは、ストッパー部材の底板を底壁に形成された底壁凹部に嵌合させ、ストッパー部材の両側板を両側壁に形成された側壁第１凹部に嵌合させることで、ストッパー部材をアダプタに簡単に取り付けることができるから、ストッパー部材のアダプタに対する取り付けが容易であり、組み立てに手間や時間がかからず、その結果、アダプタ自体を低い単価で作ることができる。
【００１６】
請求項３に記載の光通信用アダプタによれば、アダプタにストッパー部材を取り付ける手順が、アダプタの側壁第２凹部をストッパー部材の両側板で挟み込んだ後、ストッパー部材の両側板を側壁第１凹部に沿ってフランジに形成された切り欠き部まで移動させることでストッパー部材をアダプタの底壁凹部と側壁第１凹部とに嵌合させることができるから、ストッパー部材のアダプタに対する取り付けが容易であり、組み立てに手間や時間がかからず、その結果、アダプタ自体を低い単価で作ることができる。
【図面の簡単な説明】
【００１７】
【図１】一例として示す光通信用アダプタの斜視図。
【図２】図１のＤ−Ｄ線矢視断面図。
【図３】アダプタの頂壁面を示す平面図。
【図４】ストッパー部材取り付け前のアダプタ底壁を示す底面図。
【図５】ストッパー部材取り付け前のアダプタ側壁を示す側面図。
【図６】一例として示すストッパー部材の斜視図。
【図７】光通信用アダプタをパネルへ固定した斜視図。
【発明を実施するための形態】
【００１８】
一例として示す光通信用アダプタの斜視図である図１等の添付の図面を参照し、本発明に係る光通信用アダプタの詳細を説明すると、以下の通りである。なお、図２は図１アダプタのＤ−Ｄ線矢視断面図である。図３はアダプタの頂壁面を示す平面図である。図４はストッパー部材５０（係止金具）を取り付ける以前のアダプタ１０の底壁１２を示す底面図である。図５はストッパー部材５０を取り付ける以前のアダプタ１０の側壁１３を示す側面図である。図６は、一例として示すストッパー部材５０の斜視図である。図７は、光通信用アダプタをパネルへ固定した状態の斜視図である。図１〜５では、前後方向を矢印Ａ、横方向を矢印Ｂで示し、上下方向を矢印Ｃで示す。
【００１９】
光通信用アダプタ１０は、半導体レーザ等の光発信装置から発信されるレーザ光（光信号）を光ファイバを利用して伝送する光通信において、光ファイバ等を接続する接続手段として利用される。アダプタ１０は、合成樹脂あるいは亜鉛ダイカスト等の金属から作られたハウジングである。
【００２０】
アダプタ１０は、上下方向へ離間対向して前後方向へ延びる頂底壁１１，１２と、横方向へ離間対向して前後方向へ延びる両側壁１３，１４と、両側壁１３，１４の間に位置して前後方向へ延びる仕切壁１５と、それら壁１１〜１５に囲繞されて前後方向へ貫通する２つの挿入孔１７と、それら挿入孔１７の中央部２０に設置された２つのスリーブホルダ４０および２つの光接続用割りスリーブ３０（図２参照）と、金属製（たとえば、ばね用ステンレス鋼板）のストッパー部材５０とを有する。両側壁１３，１４は、頂底壁１１，１２に直交してそれら壁１１，１２につながっている。
【００２１】
挿入孔１７は、前後方向へ離間対向する一対の両端部１８，１９と、それら両端部１８，１９の間に位置する中央部２０とを有する。挿入孔１７には、光ファイバ接続用コネクタが着脱可能に挿入される。
【００２２】
アダプタ１０の底壁１２の外面には、中心線Ｌを挟んで前後方向に並ぶ２つの底壁凹部２８が作られている。底壁１２の外面から内面に向かって上下方向へ凹む矩形の底壁凹部２８は、中心線Ｌを挟んで対称型に作られている（底壁凹部２８が鏡像関係にある）。
【００２３】
アダプタ１０の両側壁１３，１４の外面には、それらの外面から内面に向かって横方向へ凹む側壁凹部２５が作られている。側壁凹部２５は、一方の側壁１３と他方の側壁１４とにおいて同一形状に作られ、中心線Ｌを挟んで対称型に作られている（側壁凹部２５が鏡像関係にある）。側壁凹部２５は、図５に示すように、底壁１２の側に位置して底壁凹部２８につながる側壁第１凹部２６と、側壁第１凹部２６の挿入孔１７入り口側に位置する側壁第２凹部２７から形成されている。
【００２４】
側壁第１凹部２６は、図３に示すように、フランジ部１６の内側まで連続する構造であり、フランジ部１６に切り欠き部２６ａを形成する。側壁第１凹部２６は、その凹み深さ（両側壁１３，１４の外面から内面に向かう第１凹部２６の凹み寸法）が側壁第２凹部２７のそれよりも深い。側壁第２凹部２７と両側壁１３，１４との間に残差が生じ、両側壁１３，１４が第２凹部２７に対する障壁となっている。側壁第１凹部２６と側壁第２凹部２７との間に残差が生じ、第２凹部２７が第１凹部２６に対する障壁となっている。
【００２５】
ストッパー部材５０は、図６に示すように、略矩形の底板５１と、底板５１の両側縁から上方へ延びる両側板５２と、両側壁５２に形成されて横方向外方へ末広がりに傾斜して延びる係止板５３と、係止板連結部５４から形成されている。ストッパー部材５０の両側板５２は、その平面形状が側壁第１凹部２６の形状と略同形同大である。
【００２６】
ストッパー部材５０のアダプタ１０への設置手順は、ストッパー部材５０の両側板５２をその弾性力に抗して横方向外方へ押し広げた後、ストッパー部材５０の係止板連結部５４が側壁第２凹部２７の上に重なるようにストッパー部材５０の位置決めを行い、両側板５２を側壁第１凹部２６と側壁第２凹部２７との上に嵌め込み、ストッパー部材５０をフランジ部１６側へ滑らせるように切り欠き部２６ａに突き当たるまで移動して完全に側壁第１凹部２６へ嵌め込む。
【００２７】
ストッパー部材５０は、アダプタ１０の一方の端部１９の側壁凹部２５および低壁凹部２８に着脱可能に固定されている。ストッパー部材５０の底板５１は、底壁凹部２８に嵌め込まれ、底壁凹部２８の全体に嵌合かつ密着している。底板５１が底壁凹部２８に嵌め込まれた状態では、底板５１の外面と底壁１２の外面とが略同一平面になっている。ストッパー部材５０の両側板５２は、側壁第１凹部２６に嵌め込まれ、側壁第１凹部２６の全体に嵌合かつ密着している。両側板５２が側壁第１凹部２６に嵌め込まれた状態では、両側板５２の外面と両側壁１３，１４の外面とが略同一平面になっている。
【００２８】
アダプタ１０は、ストッパー部材５０の底板５１をアダプタ１０の底壁１２の外面に形成された底壁凹部２８に嵌合させ、ストッパー部材５０の両側板５２を両側壁１３，１４の外面に形成された側壁第１凹部２６に嵌合させることで、ストッパー部材５０をアダプタ１０に簡単に取り付けることができる。アダプタ１０は、ストッパー部材５０のアダプタ１０に対する取り付けが容易であり、アダプタ１０の組み立てに手間や時間がかからず、その結果、アダプタ１０自体を低い単価で作ることができる。
【００２９】
なお、図１のアダプタ１０では１つの仕切板１５が設置され、横方向へ２つの挿入孔１７が並んでいるが、仕切板１５の数に特に限定はなく、アダプタ１０に２つ以上の仕切板１５が設置され、３つ以上の挿入孔１７が横方向へ並んでいてもよい。また、図１のアダプタ１０ではストッパー部材５０が一方の端部１９の側壁凹部２５および低壁凹部２８に設置されているが、ストッパー部材５０を他方の端部１８のみに設置することもでき、ストッパー部材５０を両端部１８，１９に設置することもできる。
【符号の説明】
【００３０】
１０    光通信用アダプタ
１１    頂壁
１２    底壁
１３    側壁
１４    側壁
１５    仕切壁
１６    フランジ部
１７    挿入孔
１８    端部
１９    端部
２０    中央部
２５    側壁凹部
２６    側壁第１凹部
２７    側壁第２凹部
２８    底壁凹部
３０    光接続用スリーブ
５０    ストッパー部材
５１    底板
５２    両側板
５３    係止板
５４    係止板連結部
【図１】
0005202592.tif 000002
【図２】
0005202592.tif 000003
【図３】
0005202592.tif 000004
【図４】
0005202592.tif 000005
【図５】
0005202592.tif 000006
【図６】
0005202592.tif 000007
【図７】
0005202592.tif 000008